(57)【要約】      （修正有）【課題】製造が容易で且つ長期間の保管にも問題が発生しない構造の側溝ブロックと基礎部との設置構造を提供する。【解決手段】側溝ブロック１の底版部３を貫通するアンカーボルト孔６が設けられ、基礎部１０上に敷設した後にアンカーボルト孔６から基礎部１０に向けてアンカーボルト７を打ち込み、前記底版部３に現場打ちコンクリート１１Ａを流し込み、側溝ブロック１と基礎部１０とを一体化する。【選択図】図３
0003158973.tif 000002
【実用新案登録請求の範囲】
【請求項１】
底版部に形成した凹溝部にアンカーボルト孔を穿設した断面Ｕ字型又は上面の一部を開口した断面ボックス型の側溝ブロックを基礎部上に敷設し、前記アンカーボルト孔に挿入したアンカーボルトの先端部を前記基礎部内に配設した状態で前記底版部に現場打ちコンクリートを流し込み、前記凹溝部内に位置する前記アンカーボルトを前記現場打ちコンクリート中に埋設することで、側溝ブロックを前記アンカーボルトを介して前記基礎部と一体化するように構成したことを特徴とする側溝ブロックの設置構造。
【請求項２】
底版部に抜き穴を形成した断面Ｕ字型又は上面の一部を開口した断面ボックス型の側溝ブロックを基礎部上に敷設し、前記抜き穴に挿入した鉄筋メッシュの下方に向け突出する突出筋の先端部を前記基礎部内に配設した状態で前記底版部に現場打ちコンクリートを流し込み、前記抜き穴内に位置する前記鉄筋メッシュを前記現場打ちコンクリート中に埋設することで、側溝ブロックを前記鉄筋メッシュを介して前記基礎部と一体化するように構成したことを特徴とする側溝ブロックの設置構造。
【考案の詳細な説明】
【技術分野】
【０００１】
本考案は、設置後の転圧や側壁部に作用する不均等な土圧によっても容易に横移動することがない側溝ブロックの設置構造に関し、更には勾配が殆どない所や急勾配でも計画の流水勾配に合わせて施工できる、いわゆる可変勾配用の水路ブロックとしても使用できる側溝ブロックの設置構造に関する。
【背景技術】
【０００２】
従来、この種の側溝ブロックとして、特開２００１−１８２１４１号公報のように、ブロック本体の底版面に垂直方向に貫通する複数の貫通孔を形成したものが知られている。また、実公昭６４−４２２号公報や実公平３−４４８６９号公報のように、水路本体の底版部に抜き穴部を設け、該抜き穴部においてブロック本体内に配設した鉄筋を露出せしめたものが知られている。
【０００３】
これらの提案では、貫通孔または抜き穴部に現場打ちコンクリートを流し込むことにより、側溝ブロックを設置する基礎部との一体性に優れた可変勾配型とすることができ、特に実公昭６４−４２２号公報および実公平３−４４８６９号公報のものでは、側溝を施工した現場での左右側壁に生ずる土圧が不均衡であっても、また一方の側壁に転圧を加える場合でも水路ブロックが横移動することのない効果を生じさせることができる。
【先行技術文献】
【特許文献】
【０００４】
【特許文献１】特開２００１−１８２１４１号公報
【特許文献２】実公平３−４４８６９号公報
【特許文献３】実公昭６４−４２２号公報
【考案の概要】
【考案が解決しようとする課題】
【０００５】
しかし、実公昭６４−４２２号公報や実公平３−４４８６９号公報のものでは、抜き穴部の底版厚さのほぼ中央で鉄筋を露出させるようにするべく、製造工程において上下２方向から型抜きをする必要がある。したがって、手間がかかるだけでなく、工場で生産された製品が長期間在庫された場合、抜き穴部に露出した鉄筋に錆びが出て出荷が困難となる場合も認められる。
【０００６】
一方、特開２００１−１８２１４１号公報のように、横方向の補強筋を貫通部に設けず露出させなければ上記のような不具合も生じないが、基礎部との一体性や横移動の防止効果は相対的に減ずることとなる。また、底版部の抜き穴部（貫通孔）は、流水勾配に応じて現場打ちコンクリートによって形成される底版構造上、必ずしも貫通している必要がなく、凹溝を形成すれば足りる場合もある。
【課題を解決するための手段】
【０００７】
こうした従来の諸課題を解決すべく、本願の請求項１に係る考案では、底版部に形成した凹溝部にアンカーボルト孔を穿設した断面Ｕ字型又は上面の一部を開口した断面ボックス型の側溝ブロックを基礎部上に敷設し、前記アンカーボルト孔に挿入したアンカーボルトの先端部を前記基礎部内に配設した状態で前記底版部に現場打ちコンクリートを流し込み、前記凹溝部内に位置する前記アンカーボルトを前記現場打ちコンクリート中に埋設することで、側溝ブロックを前記アンカーボルトを介して前記基礎部と一体化するように構成してなる側溝ブロックの設置構造とした。
【０００８】
また、請求項２に係る考案では、底版部に抜き穴を形成した断面Ｕ字型又は上面の一部を開口した断面ボックス型の側溝ブロックを基礎部上に敷設し、前記抜き穴に挿入した鉄筋メッシュの下方に向け突出する突出筋の先端部を前記基礎部内に配設した状態で前記底版部に現場打ちコンクリートを流し込み、前記抜き穴内に位置する前記鉄筋メッシュを前記現場打ちコンクリート中に埋設することで、側溝ブロックを前記鉄筋メッシュを介して前記基礎部と一体化するように構成した側溝ブロックの設置構造とした。
【考案の効果】
【０００９】
本願の請求項１に係る考案では、側溝ブロックの底版部にアンカーボルト孔が穿設された凹溝部が形成されているので、該凹溝部に現場打ちコンクリートを流し込むことで前記アンカーボルト孔に挿入したアンカーボルトは側溝ブロックの底版部に固定され一体化が図られるとゝもに、アンカーボルトの先端部は基礎部内に埋設された状態にあるから、側溝ブロックは基礎部と一体性に優れたものとなる。この場合、側溝ブロックの本体内に配設された補強筋は露出せず錆びる虞がないのに加え、凹溝部の形成は一回の製品脱型で形成できる。
【００１０】
また本願の請求項２に係る考案では、側溝ブロックの底版部に抜き穴を設けているが、ブロック本体内の横方向の補強筋は露出しないように配設されている。したがって、発錆の恐れがない他、補強鉄筋が邪魔にならないので抜き穴は１回の製品脱型で形成できる。さらに、前記抜き穴には上部より嵌め込まれ、かつ下方に向けた突出筋を有する鉄筋メッシュを配することから、現場打ちコンクリートにより底版部の補強が図られるとゝもに、底版部と基礎部との一体化も強固となり、土圧や転圧によっても本体は横移動することがない。
【図面の簡単な説明】
【００１１】
【図１】本考案に係る側溝ブロックの断面図（ａ）と、該側溝ブロックを基礎部に設        置する際に使用するアンカーボルトの正面図と平面図（ｂ）である。
【図２】同側溝ブロックの平面図で、左半部は設置前の平面図であり、右半部は設置        後の平面図である。
【図３】同側溝ブロックを基礎部に設置した状態の断面図である。
【図４】本考案の他の実施例に係る側溝ブロックの断面図である。
【図５】同側溝ブロックに使用する鉄筋メッシュの平面図（ａ）と同鉄筋メッシュの        右側面図（ｂ）である。
【図６】同側溝ブロックの平面図で、左半部は設置前の平面図であり、右半部は設置        後の平面図である。
【図７】同側溝ブロックを基礎部に設置した状態の断面図である。
【考案を実施するための形態】
【００１２】
以下、本考案を図面に示す実施形態によって詳細に説明する。図１乃至図３に示すものは本考案の第１の実施例で、図中１は側溝ブロックである。この側溝ブロック１は、両側壁部２，２と、該両側壁部２，２の下端部を連結している底版部３によりＵ字型に形成されており、このＵ字型の側溝ブロック１の内部にはブロック本体を補強するための横鉄筋４ａと縦鉄筋４ｂとがそれぞれ埋設されている。
【００１３】
５は前記底版部３に形成した凹溝部で、平面視が略長方形状のものであり、前記側溝ブロック１の長さ方向に所望の間隙をおいて２つ形成されている。６は前記凹溝部４の四隅付近に形成したアンカーボルト孔で、前記横鉄筋４ａおよび縦鉄筋４ｂの埋設位置を避けた位置において前記底版部３を上下方向に貫通しており、７は前記アンカーボルト孔６内に挿入可能としたアンカーボルトである。なお、図中７ａは前記アンカーボルト７の頭部であり、７ｂは前記アンカーボルト７の先端部である。
【００１４】
つぎに、上記のような構成からなる側溝ブロック１を、砕石を締め固めて形成した基礎やコンクリート製の基礎或いはモルタル製の基礎等からなる基礎部１０の上に設置する方法について、図１乃至図４に基づいて詳細に説明する。
【００１５】
先ず、側溝ブロック１を基礎部１０の上に敷設し、その底版部３に形成した凹溝部５内のアンカーボルト孔６に上方からアンカーボルト７を挿入する。そして、アンカーボルト７の頭部７ａの部分を工具等で押し込み或いは頭部７ａの部分をハンマー等で叩き、先端部７ｂが前記基礎部１０の内部に達するまで押し込む。
【００１６】
これにより、側溝ブロック１はアンカーボルト７を介して基礎部１０に或る程度固定されるが、このアンカーボルト７の基礎部１０内への押し込み或いは打ち込みの度合いは、頭部７ａが前記凹溝部５内にあってその開口部上面より突出しない高さ、すなわち、アンカーボルト７の頭部７ａが底版部３の上面より突出しない図３に示すような位置で止めておくことが好ましい。
【００１７】
つぎに、側溝ブロック１の内部、詳しくは、前記底版部３の前記凹溝部５へ向け生コン等の現場打ちコンクリート１１Ａを流し込む。この現場打ちコンクリート１１Ａをアンカーボルト７の頭部７ａが隠れるまで流し込むことで、この現場打ちコンクリート１１Ａによりアンカーボルト孔６とアンカーボルト７との隙間が埋められ、アンカーボルト７はアンカーボルト孔６内に固定される。その結果、側溝ブロック１の底版部３と前記凹溝部５内に充填されたコンクリート１１Ａとは、該凹溝部５内のコンクリート１１Ａに埋設されたアンカーボルト７の上方部および頭部７ａを介して一体化となる。
【００１８】
同時に、アンカーボルト７の先端部７ｂは前記基礎部１０の内部に埋設された状態で設置されているので、側溝ブロック１はその底版部３において前記アンカーボルト７を介して基礎部１１と連結され、基礎部１０とは一体性に優れた側溝ブロック１の設置構造となる。これにより、土圧や転圧Ｐによって側溝ブロック１が横移動することはない。なお、図中１１Ｂはこの側溝ブロック１を可変勾配用の水路ブロックとして使用する際に、傾斜をつけるために打設した現場打ちコンクリートである。
【００１９】
図４乃至図７に示すものは本考案の第２実施例で、前記第１実施例と同じ部分は同一の符号を使用して以下に説明する。図４〜図７において、２１はＵ字型の側溝ブロックで、２２はこの側溝ブロック２１の底版部３に形成した抜き穴である。
【００２０】
この抜き穴２２は、図６の左半部に示すように、平面視が正方形状のもので、側溝ブロック２１の長手方向の両端側に寄せた位置にそれぞれ２個づつ所望の間隙をおいて形成したものである。２３は前記抜き穴２２の上方の開口部にあって、その開口縁に形成した段部であり、２４は前記抜き穴２２内に設置する鉄筋メッシュである。
【００２１】
前記鉄筋メッシュ２４は、鉄筋で井桁状に形成した平面視が矩形状の頭部２５と、該頭部２５に上端を溶接等で固定し、下方に向け突出する複数本の突出筋２６とから主に構成されており、前記井桁状の頭部２５の大きさは底版部３に形成した前記抜き穴２２の段部２３内に納まる大きさとなるよう構成されている。なお、図中、２７は前記突出筋２６，２６の周囲を巻き回している補強用の横鉄筋である。
【００２２】
つぎに、上記のような構成からなる側溝ブロック２１を、砕石を締め固めて形成した基礎又は基礎コンクリート或いは基礎モルタル等からなる基礎部１０の上に設置する方法について、図４乃至図７に基づいて説明すると、先ず、側溝ブロック２１を基礎部１０の上に敷設し、その底版部３に形成した抜き穴２２内に上方から鉄筋メッシュ２４をその突出筋２６を先にして挿入する。
【００２３】
そして、鉄筋メッシュ２４の頭部２５の部分を工具等で押し込み或いは頭部２５の部分をハンマー等で叩き、下方への突出筋２６の先端部２６ａが前記基礎部１０の内部に達するまで押し込む。これにより、側溝ブロック２１はその底版部３において鉄筋メッシュ２４を介して基礎部１０に固定されるが、この鉄筋メッシュ２４の押し込みの度合いは、頭部２５が前記抜き穴２２内にあってその開口部上面より突出しない高さ、すなわち、鉄筋メッシュ２４の頭部２５が底版部３の上面より突出しない図７に示すような位置で止めておくことが好ましい。
【００２４】
つぎに、側溝ブロック２１の内部、詳しくは、前記底版部３の前記抜き穴２２へ向け生コン等の現場打ちコンクリート１１Ａを流し込む。この現場打ちコンクリート１１Ａを鉄筋メッシュ２４の頭部２５が隠れるまで抜き穴２２へ流し込むことで、抜き穴２２内は鉄筋メッシュ２４を補強筋として埋設した現場打ちコンクリート１１Ａで充填されるとゝもに、現場打ちコンクリート１１Ａは鉄筋メッシュ２４の井桁状の頭部２５内を流下して基礎部１０まで達し、基礎の構成材料によっては基礎部１０の内部まで浸透する。
【００２５】
抜き穴２２内が鉄筋メッシュ２４を補強筋として埋設した現場打ちコンクリート１１Ａで充填されることで、鉄筋メッシュ２４は抜き穴２２内に固定される。その結果、側溝ブロック２１の底版部３と前記抜き穴２２内に充填されたコンクリート１１Ａとは、抜き穴２２内のコンクリート１１Ａに埋設された鉄筋メッシュ２４を介して一体化となる。
【００２６】
同時に、鉄筋メッシュ２４はその突出筋２６の先端部２６ｂが前記基礎部１０の内部に埋設された状態で設置されているので、側溝ブロック２１はその底版部３において前記鉄筋メッシュ２４，下方への突出筋２６を介して基礎部１０と連結され、基礎部１０とは強固に連結された側溝ブロック２１の設置構造となる。これにより、土圧や転圧Ｐによって側溝ブロック２１が横移動することはない。なお、図中１１Ｂはこの側溝ブロック２１を可変勾配用の水路ブロックとして使用する際に、傾斜をつけるために打設した現場打ちコンクリートである。
【符号の説明】
【００２７】
１・２１  側溝ブロック
２  側壁部
３  底版部
４ａ  横鉄筋
４ｂ  縦鉄筋
５  凹溝部
６  アンカーボルト孔
７  アンカーボルト
７ａ  同頭部
７ｂ  同先端部
１０  基礎部
１１Ａ  凹溝部への現場打ちコンクリート
２２  抜き穴
２３  同段部
２４  鉄筋メッシュ
２５  同頭部
２６  同突出筋
２６ａ  同先端部
２７  横鉄筋
【図１】
0003158973.tif 000003
【図２】
0003158973.tif 000004
【図３】
0003158973.tif 000005
【図４】
0003158973.tif 000006
【図５】
0003158973.tif 000007
【図６】
0003158973.tif 000008
【図７】
0003158973.tif 000009